(57)【要約】      （修正有）【課題】乱暴な動作をしても部品の破損などの心配が無く、しかも許容荷重より過大なレバー操作を行っても、機械的な破損を防止することが可能な廃棄プラスチックフィルムの減容加圧装置を提供する。【解決手段】ラック又は棒４に通した板材２１を２箇所に設け、一方はレバー１で下方に押える力をラック又は棒に、テコの原理を利用して圧接力を増幅させることによって、摩擦力を大きくして下方に動作する推力を摩擦伝達し、他方はラック又は棒が上方に動作しないよう、同様にテコの原理でバネ２５による附勢力を増幅させた摩擦力で阻止するよう作用させることによりレバーの揺動動作でラック又は棒を下方にピッチ送りする構成とした。【選択図】図２
2010279998.tif 000002
【特許請求の範囲】
【請求項１】
ラック又は押し棒にその径より若干大きい穴を明けた板を嵌装し、ラック又は押し棒に通したバネで上向きに附勢して支持し、該板と任意位置を中心に揺動する押しレバーをリンク結合した押し下げ部材と、該押し下げ部材の上方部には、ラック又は押し棒にその径より若干大きい穴を明けた板をラック又は押し棒に嵌装し、一端をピンなどの支持材に当接し、ラック又は押し棒を挟んで反対側に下から上に向けて附勢したバネを配し、前記支持材を支点として揺動可能に構成し、その先端には押さえノブを設けたクランプ板からなるクランプ部材からなる廃棄プラスチックフィルムに減容加圧装置。
【発明の詳細な説明】
【技術分野】
【０００１】  本発明は、包装用プラスチックフィルムが不要になった時、そのプラスチックフィルムなどを圧縮して減容する為の圧縮装置に関するものである。
【背景技術】
【０００２】  従来は上下に摺動するラックと、そのラックに歯合してラックに摺動動力を伝達するピニオンを有し、該ピニオンには一方向クラッチを設けて別途に配置したレバーの揺動動作と連動してピニオンを一方向に回動し、ラックに下方向の摺動力を附勢するものであった。【０００３】  しかし、ピニオンを介して歯の歯合で動力を伝達する構造の為、加圧力に耐えるため比較的大きなモジュールの歯車に構成する必要が有り、しかも一方向クラッチはラチェットを採用した為、ラチェットの爪に過大な力が作用する。しかも、通常の操作においても、ピニオンを回すために該ピニオン軸に設けたハンドルを早く回しながらラチェット爪を歯合するなどの衝撃が発生するような急な歯合も頻繁に見られ、衝撃荷重の為の歯欠けが発生する欠点があった。【０００４】  この改善策として、本発明ではピニオンなどを介在することなく直接ラック又は押し棒を下方向に押し下げ駆動をするものとした。
【先行技術文献】
【特許文献】
【０００５】
【特許文献１】特開２００２−３６１４９１号公報
【発明の概要】
【課題を解決するための手段】
【０００６】  本発明は、ラック又は押し棒にその径より若干大きい穴を明けた板を嵌装し、該ラック又は押し棒に通したバネで該板を上向きに附勢して支持し、該板の一端と任意位置を中心に揺動する押しレバーとをリンク結合した押し下げ部材と、該押し下げ部材の上方部には、該ラック又は押し棒にその径より若干大きい穴を明けた板を該ラック又は押し棒に嵌装し、一端をピンなどの支持材に当接し、該ラック又は押し棒を挟んで反対側に下から上に向けて附勢したバネを配し、前記支持材を支点として揺動可能に構成し、その先端には押さえノブを設けたクランプ板からなるクランプ装置を設けたものである。【０００７】  本発明の圧縮装置は、テコの原理を利用し、ラック又は棒に通した板材の一端を押し下げることで板材とラック又は棒との間には、板を押し下げた力の数倍の力の圧力が生じ、摩擦係数をその圧力に乗算した値のほうが押し下げる力よりも大きくなるよう支点、力点、作用点を設定することにより、ラック又は棒と板材は滑る事無くラック又は棒と一体で押し下げるよう作用する。押し下げた後附勢を解くと、もう一方のクランプ板が同様にテコの原理にて、ラック又は棒が圧縮の反力によって上方向に戻ろうとする力を受けて、該戻り力よりも大きい摩擦力を発生することで保持する為、押しレバーを上下に揺動すれば、下方向の揺動の時ラック又は棒は下方向にピッチ送りされて動いて加圧力を発生し、上方向に揺動する時には該ラック又は押し棒に通したバネの附勢が有るため、力点と作用点が同じ位置になるため、板とラック又は棒の間にはなんら圧力は発生しない為、該ラック又は棒は該板と連動して動く事無くそのままの位置にとどまり、該板だけが該ラック又は棒を滑って上昇するように作用する。
【発明の効果】
【０００８】  加圧する為のラック又は棒を直接摩擦力にて結合して押し下げ駆動を伝達する構成にしたことにより、乱暴な動作をしても摩擦力だけでの連結構造の為、部品の破損などの心配が無く、しかも許容荷重より過大なレバー操作を行っても、ラック又は棒と前記板材との間ですべりが発生する為、機械的な破損を防止することが可能となった。
【実施例】
【０００９】  図１は、本発明装置の１実施例の断面図であって、１は押しレバー、２は押し下げ部材、３はクランプ部材である。押し下げ部材２にてラック又は棒を摩擦結合して下方に押し下げ動作をし、ケース５の中に投入した廃プラスチックフィルムは該ラック又は棒４の先端に置いた押さえ円盤６を介して均一に押えられケース５の中で圧縮されて減容する装置に関するものである。【００１０】  図２は押し下げ部材の詳細図で、回転軸２４に回動可能に設けた押しレバー１の一端とラック又は棒４に通し、ラック４に通したバネ２５で上方に附勢した板材２１の一端をリンク２２を介して連動連結したものです。係る構成により押しレバーを手で持って下方向に押すと板材２１はラック又は軸４に対して斜めに抉る様な動きをすることによって、板材の穴とラック又は棒の間で、テコのごとく作用し、押し下げる力の数倍の圧接力が発生し、そのため押し下げ力よりも大きい摩擦力が生じる為、板材２１はラック又は棒４とは摩擦結合して滑ること無く、押しレバーの下方動作と連動してラック又は棒４が下側に押されて移動するように作用する。実施例では押しレバーの回転軸はピニオンの軸を兼用したが、押しレバー１にて押し下げ動作をする時にピニオンはなんら関与しない構造の為、該ピニオンの軸とは別の位置に任意に設置することができることは無論である。【００１１】  図３はクランプ部材の詳細図で、支持材３３に一端を揺動自在に係止し、ラック又は棒が貫通する穴に勘装したラック又は棒を挟んで対向位置に下から上に向かって附勢したバネ３２を設けその先端には手で押えて係止を解除する為のノブを設けたものである。バネ３２の附勢によりクランプ板３１はそのラック又は棒に通した穴でラック又は棒をテコの原理でこじるよう作用し、バネの附勢力の数倍の圧力でクランプ板３１とラック又は棒４が接することにより、ラック又は棒４が上側に動作することを阻止するように作用するものである。然るにノブ３４を下方に押えればテコの作用が解除されてラック又は棒が上方に移動可能になり、圧縮を解除することができる。【００１２】  前記ノブ３４を手で押さえてクランプを解除した後ラックに歯合したピニオン２３を回動するハンドル４１を手で回すことでラックを上方に自由に動作することができる。下方にラックを動かすには、いずれの状態にあってもハンドル４１の回転だけ動作可能である。
尚、ラックの代わりに単なる丸棒を使用することも可能である。丸棒の場合はその丸棒を直接手で持って上方に引き上げる作動をすることも可能ですし、図示しないバネなどで棒を上方に附勢しておくことも可能である。
【図面の簡単な説明】
【図１】は、本発明の側面図を表す。
【図２】は押し下げ部材の詳細図、
【図３】はクランプ部材の詳細図、
【図４】は本装置の正面図を示す。
【符号の説明】
【００１３】  １  押しレバー
２  押し下げ部材
３  クランプ装置
４  ラック又は棒
５  ケース
【図１】
2010279998.tif 000003
【図２】
2010279998.tif 000004
【図３】
2010279998.tif 000005
【図４】
2010279998.tif 000006